(57)【要約】【課題】全般照明器具と局所照明器具とを点灯制御する照明システムにおいて、入室した人を容易に所定エリアに誘導することができるようにする。【解決手段】照明システムは、室内を照明する全般照明器具１と、その照明エリア１１より狭いエリアを照明する局所照明器具２と、人検知センサ３と、人検知センサ３の検知結果に基いて各器具１、２をそれぞれ点灯制御する制御部４とを備える。全般照明器具１の照明エリア１１内に、局所照明器具２ａ、２ｂによる照明エリア２１、２２が配置され、人検知センサ３は照明エリア１１の外側及び内側の各領域に人が居るか否かを検知し、制御部４は照明エリア１１の外側領域に人が検知されたとき、全般照明器具１を点灯し、さらに照明エリア１１の内側領域に人が検知されたとき、局所照明器具２を点灯する。これにより、各照明エリア１１、２１、２２を順次点灯でき、入室した人を容易に所定エリアに誘導することができる。【選択図】図３
2010272441.tif 000002
【特許請求の範囲】
【請求項１】
全般照明器具と、前記全般照明器具による照明エリアより狭いエリアを照明する局所照明器具と、人の存在を検知するための人検知センサと、前記人検知センサの検知結果に基いて前記全般照明器具と局所照明器具とをそれぞれ点灯制御する制御部と、を備えた照明システムであって、
前記全般照明器具による照明エリア内に、前記局所照明器具による照明エリアが配置され、
前記人検知センサは前記全般照明器具の照明エリアの外側及び内側の各領域に人が居るか否かを検知し、
前記制御部は、前記人検知センサにより前記全般照明器具の照明エリアの外側領域に人が検知されたとき、前記全般照明器具を点灯し、さらに、前記全般照明器具の照明エリアの内側領域に人が検知されたとき、前記局所照明器具を点灯することを特徴とする照明システム。
【発明の詳細な説明】
【技術分野】
【０００１】
本発明は、全般照明器具と局所照明器具とを有し、それらを連携して室内照明の制御を図る照明システムに関する。
【背景技術】
【０００２】
この種の照明システムにおいては、オフィスなどの空間全体を明るくするための全般照明を天井等からの全般照明器具で行い、テーブル上面等における視作業に必要な照明は電気スタンドなどの近距離からの局所照明器具で行うことにより、全般照明器具の個数や照度を低減して省エネルギ化することが図られている。
【０００３】
この種の照明システムとして、室内空間を全般照明すると共に、人感センサによりテーブルにおけるユーザの在席を検知したときに、そのテーブルを照明領域に含む複数の局所照明器具を点灯するようにしたものが知られている（例えば、特許文献１参照）。しかしながら、このシステムは、省エネルギ化することはできるが、例えば、ユーザは消灯中の室内に入ったとき、全般照明をオンするために点灯スイッチを探す必要があるので、着座するテーブル方向等が直ぐに見付からず、また、全般照明器具を点灯しても、省エネルギ化のためにその照度が低い場合や、全般照明器具の照明エリアが広い場合などでは、テーブルにおける着座位置等を直ぐに見付け難い。
【先行技術文献】
【特許文献】
【０００４】
【特許文献１】特開２００１−１４３８７７号公報
【発明の概要】
【発明が解決しようとする課題】
【０００５】
本発明は、上記の問題を解決するものであり、室内空間を全般照明する全般照明器具と局所照明する局所照明器具との点灯制御により、入室した人を容易に所定エリアに誘導することができる照明システムを提供することを目的とする。
【課題を解決するための手段】
【０００６】
上記目的を達成するために請求項１の発明は、全般照明器具と、前記全般照明器具による照明エリアより狭いエリアを照明する局所照明器具と、人の存在を検知するための人検知センサと、前記人検知センサの検知結果に基いて前記全般照明器具と局所照明器具とをそれぞれ点灯制御する制御部と、を備えた照明システムであって、前記全般照明器具による照明エリア内に、前記局所照明器具による照明エリアが配置され、前記人検知センサは前記全般照明器具の照明エリアの外側及び内側の各領域に人が居るか否かを検知し、前記制御部は、前記人検知センサにより前記全般照明器具の照明エリアの外側領域に人が検知されたとき、前記全般照明器具を点灯し、さらに、前記全般照明器具の照明エリアの内側領域に人が検知されたとき、前記局所照明器具を点灯するものである。
【発明の効果】
【０００７】
請求項１の発明によれば、人検知に基づき全般照明器具及び局所照明器具の各照明エリアを点灯させることにより、全般照明器具の照明エリアの外側及び内側の領域に居る人に各照明エリアを順次意識させるようにできるので、全般照明器具の照明エリア外の人をその照明エリア内に、さらに局所照明器具の照明エリアに容易に誘導することができる。このとき、全般照明に個別の局所照明が加わる二段階の照明点灯により、例えば入室した人に「おもてなし感」を演出することができ、情緒的な照明効果が得られる。
【図面の簡単な説明】
【０００８】
【図１】本発明の第１の実施形態に係る照明システムの構成図。
【図２】同システムにおける各照明器具の分解斜視図。
【図３】同システムにおける各照明器具の照明エリアと人検知センサの検知エリアとを説明するための図。
【図４】（ａ）は同システムの全般照明器具による照明エリアの外側領域に人が居るときの照明状態を示す図、（ｂ）は同照明エリアの内側領域に人が居るときの照明状態を示す図、（ｃ）は同照明エリアの内側領域に二人目の人が入ったときの照明状態を示す図。
【図５】上記実施形態の変形例における人検知センサの検知エリアを説明するための図。
【発明を実施するための形態】
【０００９】
以下、本発明の第１の実施形態に係る照明システムについて図１乃至図４を参照して説明する。図１は、本実施形態における照明システム（以下、本照明システムという）の構成を示す。本照明システムは、住宅内などの室内空間を全般照明する全般照明器具１と、全般照明器具１による照明エリアより狭いエリアを照明する局所照明器具２と、人の存在を検知するための人検知センサ３と、人検知センサ３の検知結果に基いて全般照明器具１と局所照明器具２とをそれぞれ点灯制御する制御部４とを有する。
【００１０】
全般照明器具１は、放電灯、白熱灯、ＬＥＤ等の固体光源などから成る光源を有し、リビングなどの天井面等に取付けられ、室内空間の全般照明を行い、制御部４により省エネルギ化のために比較的低い照度となるように点灯制御される。なお、全般照明器具１を、空間内の複数のエリア毎に設置にしてもよい。
【００１１】
局所照明器具２は、上記と同様に、放電灯、白熱灯、ＬＥＤ等の固体光源などから成る光源を有し、室内の天井面に、または天井面からワイヤ等で吊り下げられるなどして配置される。また、局所照明器具２は、配光を絞ることができる凹面鏡等の反射板やレンズなどを備え、制御部４により点灯制御されて全般照明装置１の照明エリアより狭い所定の照明エリアを局所的に照明する。
【００１２】
また、局所照明器具２による局所照明光は、全般照明器具１による全般照明光より強い光強度を成し、前記のように、その光色は全般照明光と異なるようにできる。なお、全般照明器具１と局所照明器具２とを、例えば複数の光源を有した一体型とし、それら光源を全般照明及び局所照明用としてオン、オフすると共に、局所照明用光源に配光可変機能等を設ける等により、全般照明と局所照明とを使い分ける仕様であってもよい。
【００１３】
人検知センサ３は、主としてＣＣＤ撮像素子の画像センサや、熱画像センサ、赤外センサ等を用いることができ、天井面や全般照明器具１等に配置され、全般照明器具１の照明エリアの外側及び内側の各領域に人が居るか否かを検知し、その人検知情報を制御部４に伝送する。ここでは、人検知センサ３は、暗闇（例えば、消灯時）においても人の存在を判断できるセンサとして、近赤外領域までも感度を有する高感度、広帯域の画像センサを用いる。なお、人検知センサ３は、より広いエリアを俯瞰するために、広角用や魚眼用レンズが搭載されることが望ましい。
【００１４】
制御部４は、点灯制御のためのマイコンと、人検知センサ３からの人検知情報等を記憶する記憶装置５とを有し、天井面または全般照明器具１内等に配置される。記憶装置５は人検知センサ３からの人検知情報に基づく画像データを記憶する。なお、記憶装置５は制御部４に内蔵化、または人検知センサ３と一体化してもよい。
【００１５】
ここでは、制御部４は、予め定められた人検知センサ３の検知エリア毎に人の不在時の画像データを記憶装置５に記憶しておき、この過去に記憶した画像データと現在の画像データとを時系列的に比較することにより人検知情報を解析し、検知エリア毎に人の在／不在を判断する。なお、制御部４は人検知情報の画像データにより人の位置情報も検出することができる。制御部４は人の在／不在を判断すると、全般照明器具１と局所照明器具２とに点滅、調光、及び調色信号等を送り、人検知センサ３により全般照明器具１の照明エリアの外側領域に人が検知されたときは、全般照明器具１を点灯し、さらに、同照明エリアの内側領域に人が検知されたときは、局所照明器具２を点灯する。
【００１６】
図２は、本照明システムにおける全般照明器具１、２つの局所照明器具２（２ａ、２ｂ）及び人検知センサ３の配置構成を示す。全般照明器具１はサークルライン形の蛍光灯光源を、局所照明器具２は配光性を持たせるための小型の円錐状カバーで覆われた球形光源を有する。それら照明器具１、２はともに円盤状の支持体６に設けられ、光透過材からなるグローブ等の全体カバー７で覆われる。また、人検知センサ３は支持体６の周辺に装着され、前述のように、暗闇でも人検知できる高感度のＣＣＤ撮像素子等の半導体画像センサから成る。
【００１７】
図３は、本照明システムが室内空間の天井面１００に装着された状態を示す。全般照明器具１は照明エリア１１を形成し、局所照明器具２ａ、２ｂは照明エリア２１、２２を形成する。人検知センサ３は人検知エリア３０（３１、３２）を形成する。
【００１８】
全般照明器具１の照明エリア１１は、サークルライン形蛍光灯により、室内の床面１０１に向けて照明する比較的広いエリアとなっており、局所照明器具２ａ、２ｂの各照明エリア２１、２２は照明エリア１１内における個々の狭い予め設定された所定のエリアとなっている。
【００１９】
上記人検知センサ３は、１つの画像センサから成り、照明エリア１１内の領域の人を検知するための検知エリア３１と、室内空間の入口１０２付近までの照明エリア１１外の領域の人を検知するための検知エリア３２とを含む広い人検知エリア３０を有する。記憶装置５（不図示）には、予め上記検知エリア３１、３２、及び照明エリア２１、２２の各領域で人が不在するときの画像データが記憶されている。上記検知エリア３１、３２における人の在・不在の検出を基に、制御部４は人がどのエリアに居るかを検知し、検知エリア３２で人検知したときは、自動的に全般照明器具１を点灯し、さらに、検知エリア３１で人検知したときは、局所照明器具２ａ、２ｂの各照明エリア２１、２２のうち、検知した人の位置に近い方を点灯する。
【００２０】
このように構成された本照明システムを住宅内のダイニングルーム等に適用した場合における照明制御について図４（ａ）乃至（ｃ）を参照して説明する。ここでは、ユーザＭ１がダイングルームに入室する前は、全般照明器具１は消灯された状態にある。なお、ユーザＭ１が着座する椅子の図示は省略している。
【００２１】
図４（ａ）は、ユーザ（人）Ｍ１がダイニングルームに入室し入口１０２付近に居る場合の照明制御を示す。ここでは、ユーザＭ１は全般照明器具１の照明エリア１１の外側領域に位置するので、人検知センサ３は検知エリア３２でユーザＭ１を検知すると、照明エリア１１の外側領域に人が居るという人検知情報を発生する。この人検知情報に基づき、制御部４は全般照明器具１の照明エリア１１を点灯する。このとき、テーブル２００を含む照明エリア１１内が照明されることにより、ユーザＭ１にテーブル２００を意識させて、テーブル２００方向へ誘導させることができる。
【００２２】
続いて、図４（ｂ）はユーザＭ１が全般照明に誘導されて照明エリア１１の内側領域に入った場合の照明制御を示す。ここでは、ユーザＭ１が照明エリア１１の内側領域に入たことにより、人検知センサ３は照明エリア１１内で検知したユーザＭ１の存在とその位置情報に基づく人検知情報を発生する。制御部４は、この人検知情報に基づき、検出されたユーザＭ１の近くに位置する照明エリア２１を有する局所照明器具２ａを点灯する。ここでは、照明エリア２１は、テーブル２００上の所定のエリアを局所的に照明するように配置されている。
【００２３】
上記照明エリア２１においては、既に点灯している全般照明の照明エリア１１内で局所照明器具２ａによる点灯が追加され、局所的に明るくなる光溜りが形成される。ここでは、局所照明は全般照明より侠角な配光を成し、上記光溜りを明るくしてユーザＭ１が認識し易いようにしている。従って、照明エリア２１により、ユーザＭ１はテーブル２００上の明るい光溜りを意識するようになるため、テーブル２００の照明エリア２１近傍に着座するように誘導される。
【００２４】
続いて、図４（ｃ）は新たなユーザＭ２が照明エリア１１の内側領域に入った場合の照明制御を示す。ここでは、既にユーザＭ１が照明エリア１１内に居るため、全般照明器具１は点灯した状態となっている。このとき、人検知センサ３が照明エリア１１内で二人目のユーザＭ２を検知すると、制御部４は人検知センサ３で検出されたユーザＭ２の位置情報から、その近くに位置する照明エリア２２を有する２台目の局所照明器具２ｂを点灯する。この照明エリア２２の点灯により、上記と同様に、ユーザＭ２が認識するように新たな光溜りがテーブル２００上に追加されるので、ユーザＭ２はテーブル２００の照明エリア２２近傍に着座するように誘導される。
【００２５】
このように、本実施形態に係る照明システムによれば、人検知に基づき全般照明器具１及び局所照明器具２を点灯させることにより、全般照明器具１の照明エリア１１の外側及び内側の各領域に居る人に各照明エリア１１、２１を順次意識させることができる。これにより、照明エリア１１外の人を照明エリア１１内に、さらに照明エリア２１による所定エリアに容易に誘導することができる。従って、入室したユーザＭ１が着座するテーブル方向や、着座位置を見付け易くなる。また、全般照明に個別の局所照明が加わる二段階の照明点灯により、ユーザＭ１に「おもてなし感」を演出することができ、情緒的な照明効果を得ることができる。
【００２６】
また、１つの全般照明器具１の照明エリア１１中に、２箇所以上の局所照明器具２（２ａ、２ｂ）による局所点灯の照明エリア２１、２２を形成することにより、複数のユーザＭ１、Ｍ２に対しても上記と同様の誘導効果と「おもてなし感」の演出が可能となる。なお、ユーザＭ１、Ｍ２が照明エリア１１内に誘導されたとき、各ユーザがテーブル２００に着座したことを画像センサで検知した後に、局所照明器具２ａ、２ｂの点灯をより明るくすることにより照明サービスを強調するようにしてもよい。
【００２７】
図５は、上記実施形態の変形例を示す。本変形例においては、人検知センサ３は、人検知エリア３０全体を１つのセンサでカバーするものでなく、照明エリア１１の外側領域の検知エリア３２を検知するための人検知センサ３ａと、照明エリア１１の内側領域の検知エリア３１を検知する人検知センサ３ｂとをそれぞれ有する。ここでは、例えば、人検知センサ３ａは暗闇でも人検知し易い赤外線センサを使用し、人検知センサ３ｂは、全般照明器具１が点灯中の主として明るい状態で人検知する画像センサを使用する。これにより、室内の消灯時に、より感度良く人検知できると共に、高価な暗闇用の高感度の画像センサを必要としないため、安価となる。
【００２８】
なお、本発明は上記各種実施形態の構成に限定されるものではなく、発明の趣旨を変更しない範囲で適宜に種々の変形が可能である。例えば、上記各実施形態においては、１つの全般照明器具１で一箇所の照明エリア１１のみ全般照明する場合を示したが、複数の全般照明器具１を用いて室内の複数の照明エリア１１で全般照明してもよい。また、全般照明器具１と局所照明器具２の二段ステップの照明点灯としたが、さらに、狭い範囲の照明を追加するなどして三段ステップ以上の点灯サービスとしてもよい。また、一般家庭以外に、オフィス、学校、病院、店舗、レストラン等の非住宅施設においても上記と同様に点灯制御することができる。
【符号の説明】
【００２９】
１  全般照明器具
１１  照明エリア
２、２ａ、２ｂ  局所照明器具
２１、２２  照明エリア
３、３ａ、３ｂ  人検知センサ
４  制御部
Ｍ１、Ｍ２  ユーザ（人）
【図１】
2010272441.tif 000003
【図２】
2010272441.tif 000004
【図３】
2010272441.tif 000005
【図４】
2010272441.tif 000006
【図５】
2010272441.tif 000007